(57)【特許請求の範囲】
【請求項１】
後端にロック用チップを有する注射針と、この注射針をロック用チップを介して着脱自在に支持する外筒と、この外筒の内側で薬液の充填空間を形成しその摺動にて該薬液を注射針の先端から排出するプランジャーを備えた注射器であって、
前記ロック用チップに固定保持され注射針に沿って延びる長孔を有するベースと、このベースの長孔に枢支軸を介してスライド可能に保持される保護カバーとを備え、
前記保護カバーに、前記長孔の後端にてベースの先端部分に被さって注射針を露出させる貫通孔と、前記長孔の先端にて枢支軸を起点する回動により注射針の針先を収納する区画凹所を形成し、
長孔の先端近傍に、弾性変形可能で、保護カバーの注射針の先端に向けたスライドに際して枢支軸を通過させるが、該枢支軸が通過した後は長孔の後端へ向けて移動させることができないストッパーを配置してなることを特徴とする注射器。
【請求項２】
保護カバーのカバー内に凹部を有し、ベースの先端部分にカバー内の凹部に係合して保護カバーをベースに係止する凸部を有する、請求項１記載の注射器。
【発明の詳細な説明】
【０００１】
【発明の属する技術分野】
本発明は、注射器に関するものであり、該注射器をより一層安全に取り扱おうとするものである。
【０００２】
【従来の技術】
医療分野で使用される注射器は、その取り扱いに際しての安全性を確保する観点から、使用前、使用後の注射器には注射針を覆い隠す保護カバーが取り付けられる。
【０００３】
ところで、従来の保護カバーは、注射器からの着脱が可能なキャップ形式であることから、その装着に際して誤って針先で手や指に傷をつけてしまうおそれがあること（とくに使用済みの注射器に保護カバーをして廃棄する時）、また、保護カバーを装着する作業自体煩わしいものとなっており作業者の負担（とくに精神的な負担）が大きいことからその改善が求められている。
【０００４】
【発明が解決しようとする課題】
本発明の課題は、注射器の使用前はもとより使用後の注射器に対して安全かつ確実に針を覆い隠すことができる新規な注射器を提案するところにある。
【０００５】
【課題を解決するための手段】
本発明は、後端にロック用チップを有する注射針と、この注射針をロック用チップを介して着脱自在に支持する外筒と、この外筒の内側で薬液の充填空間を形成しその摺動にて該薬液を注射針の先端から排出するプランジャーを備えた注射器であって、
前記ロック用チップに固定保持され注射針に沿って延びる長孔を有するベースと、このベースの長孔に枢支軸を介してスライド可能に保持される保護カバーとを備え、
前記保護カバーに、前記長孔の後端にてベースの先端部分に被さって注射針を露出させる貫通孔と、前記長孔の先端にて枢支軸を起点する回動により注射針の針先をカバー内に収納する区画凹所を形成し、
長孔の先端近傍に、弾性変形可能で、保護カバーの注射針の先端に向けたスライドに際して枢支軸を通過させるが、該枢支軸が通過した後は長孔の後端へ向けて移動させることができないストッパーを配置してなることを特徴とする注射器である。
【０００７】
また、保護カバーのカバー内には凸部を設け、ベースの先端部分にはカバー内の凸部に係合して保護カバーをベースに係止する凸部を設けるのが望ましい。
【０００８】
【発明の実施の形態】
以下、図面を参照して本発明をより具体的に説明する。
【０００９】
図１は本発明に従う注射器の外観斜視図であり、図２は図１に示した注射器の使用前における断面を、また、図３は図１に示した注射器の使用後（廃棄時）における断面をそれぞれ示したものである。
【００１０】
図１〜３において１は注射針、２は注射針１をその後端にて固定保持するロック用チップ、３は注射針１をロック用チップ２を介して着脱自在に保持する外筒、４はこの外筒３の内側にて薬液の充填空間を形成しその摺動にて該薬液を注射針１の先端から排出するプランジャー、５はロック用チップ２に固定保持されるベースであり、このベース５は注射針１に沿って延びる長孔５ａを有する。
【００１１】
また、番号６はベース５の長孔５ａに枢支軸Ｓを介してスライド可能に保持される保護カバーである。この保護カバー６は長孔５ａの後端（図２、図３の最下端に対応する）にてベース５の先端部分に被さって注射針１を露出させる貫通孔６ａと、長孔５ａの先端（図２、図３の最上端に対応する）にて枢支軸Ｓを起点にした回動にて注射針１の針先をカバー６の内側に収納する区画凹所６ｂを備える。
【００１２】
７は長孔５ａの先端近傍に設けられ保護カバー６のスライドに際してその弾性変形により枢支軸Ｓを一方向のみに通過させるストッパー（合成樹脂等からなりベース５と一体に成形される）、８は保護カバー６の内側に設けられた環状の例で示した凹部、そして９はベース５の先端部分に設けられた環状の例で示した凸部であって、この凸部９は保護カバー６の内側に設けられた凹部８と係合して該保護カバー６をベース５に係止する。
【００１３】
かかる構成になる注射器は、図２において示したキャップＰを取り外すことにより使用することが可能であり、このとき、保護カバー６は凸部９によってベース５に係止されているため、注射器の使用中に該保護カバー６が簡単にスライドすることはない。
【００１４】
注射器を使用した後においては保護カバー６を注射針１の先端に向けてスライドさせて枢支軸Ｓが図４に示す如くストッパー７を通過することにより保護カバー６の位置決めがなされ（ストッパー７により保護カバー６は長孔５ａの下端に向けて移動できない）、次いで図５あるいは図６に示すように枢支軸Ｓを起点として保護カバー６を回動させて注射針１の針先を貫通孔６ａから抜き取りその区画凹所６ｂに収納することが可能となり、簡単な手順でもって注射針１は保護カバー６によって覆い隠される。
【００１５】
ストッパー７について、上掲図１では長孔５ａの側壁に一つ設けた場合を示したが、このストッパー７は図７、図８に示すように互いに対向する向きで２つ設けることもでき、これにより保護カバー６の位置決めがより確実なものとなる。
【００１６】
図９（ａ）（ｂ）は本発明に従う注射器の他の構成例を示したものである。長孔５ａはその先端が注射針１に近接するように傾斜させておくことが可能であり、これによれば注射器の使用後に保護カバー６をスライドさせるだけで針先を区画凹所６ｂに収納することが可能となり保護カバー６を回動させる操作を省略できる利点がある。
【００１７】
図１０は本発明に従う注射器の他の構成例を示したものであり、図１１はその要部の外観を示したものである。
【００１８】
この例は、ベース５の長孔５ａを形成するフレーム部分の上端縁に保護カバー６の回動角度を規制する傾斜１０を設けるとともに、長孔５ａの内側先端近傍にて互いに間隔をおいて対向する凸部を配置してこの凸部をストッパー７としたものである。
【００１９】
保護カバー６のスライドに際して枢支軸Ｓがストッパー７の凸部を強制的に乗り越えることによって保護カバー６の位置決めがなされ、図１２に示すように保護カバー６の回動時に該保護カバー６の内面と傾斜１０が接触することで保護カバー６は常に一定の回動角度を保つこととなる。
【００２０】
この種の注射器は何れのものも注射針１がステンレス鋼等の金属材料にて構成され、その他の部材は合成樹脂にて構成されるのが普通であり、廃棄に際して分別回収が必要な場合には、注射針１をロック用チップ２とともに取り外すことができるので、注射針１と他の構成部材を容易に分離し得る。
【００２１】
【発明の効果】
本発明によれば、保護カバーを注射針の先端に向けて移動させるだけで該カバーにより針を覆い隠すことが可能なので注射器の使用後（廃棄時）に針先が手や指に触れて傷をつけてしまうおそれはない。
【００２２】
また、本発明によれば、注射器の使用後にすぐさま保護カバーの装着作業に取りかかることが可能であり装着作業の煩わしさを軽減できる。
【図面の簡単な説明】
【図１】本発明に従う注射器の外観斜視図である。
【図２】図１に示した注射器の使用前の断面を示した図である。
【図３】図１に示した注射器の使用後（廃棄時）の断面を示した図である。
【図４】図１に示した注射器の要部を拡大して示した図である。
【図５】注射針の収納手順の説明図である。
【図６】注射針の収納手順の説明図である。
【図７】本発明に従う注射器の他の構成例をその要部について示した図である。
【図８】図７の外観斜視図である。
【図９】（ａ）（ｂ）は本発明に従う注射器の他の例を示した図である。
【図１０】本発明に従う注射器の他の構成例を示した図である。
【図１１】図１０の要部の外観斜視図である。
【図１２】図１０に示した注射器の使用後における状態を示した図である。
【符号の説明】
１  注射針
２  ロック用チップ
３  外筒（シリンジ）
４  プランジャー
５  ベース
５ａ  長孔
６  保護カバー
６ａ  貫通孔
６ｂ  区画凹所
７  ストッパー
８  凹部
９  凸部
１０  傾斜
Ｓ  枢支軸
【図１】
0003971933.tif 000002
【図２】
0003971933.tif 000003
【図３】
0003971933.tif 000004
【図４】
0003971933.tif 000005
【図５】
0003971933.tif 000006
【図６】
0003971933.tif 000007
【図７】
0003971933.tif 000008
【図８】
0003971933.tif 000009
【図９】
0003971933.tif 000010
【図１０】
0003971933.tif 000011
【図１１】
0003971933.tif 000012
【図１２】
0003971933.tif 000013